(57)【特許請求の範囲】
【請求項１】
弾性材からなる線材を撚り合せて、複数のループを形成し、複数のループのそれぞれのループ長を、徐々に短くしたことを特徴とする紐通し具。
【請求項２】
弾性材からなる線材を撚り合せて、複数のループを形成し、複数のループのそれぞれの開口幅を徐々に狭めたことを特徴とする紐通し具。
【発明の詳細な説明】
【技術分野】
【０００１】  本発明は、衣類などに紐やゴム紐を通す為の通し具に関する。
【背景技術】
【０００２】  従来の紐通し具に関しては、金属線を折り曲げて強い撚りを作り、その後部に紐掛け部を設けた通し具が市販されている。また、狭持板に突刺体を取り付けて、ゴム紐を突き刺し拘止環で止め付ける通し具などがある。特許文献１については、丸棒状のステンレス、プラスチック等を２つ折りにして、末部を溶接にて止めたゴム紐通し具が記載されている。特許文献２については、ワイヤーの先端に案内部を設けると共に、後端部紐の先端を締着すべく、ループ状の紐取り付け部にスライド可能な締付体を設けてなる紐通し具が記載されている。特許文献３については、紐通し棒の後端部に設けられた紐通し穴の内部に針を設け、同針の先端は、紐通し棒の先端部に向けて設けたストッパー付き紐通し具が記載されている。
【先行技術文献】
【特許文献】
【０００２】
【特許文献１】  実開平２−６１９８９号公報。
【特許文献２】  特開２００１−１３１８５１号公報。
【特許文献３】  特開平１１−６１６１０号公報。
【発明の概要】
【発明が解決しようとする課題】
【０００３】  従来の紐通し具は、紐通し棒の後部に紐掛け穴を設けた構造のため、紐を通している途中で紐が抜け落ちやすくなる。狭持板に突刺体を取り付けて、ゴム紐を突き刺拘止環で止め付ける通し具は、紐やゴム紐を傷つけやすい。紐が作業中に抜け落ちにくくしたことを目的とした特許文献１及び２，３がある。特許文献１については、撚りがないためゴム紐等に対してはさむ力が弱く、紐やゴム紐の太さ、形状に対応しきれない。特許文献２については、締付体、固着体が作業中に動いてゴムが伸びたとき、締めつけきれずに抜け落ちやすい。特許文献３については、ゴム紐を通す進行方向に針が向いているので、針が紐挿通孔に突き刺さりやすく疵つけやすく、ゴム、紐が緩んだとき抜け落ちやすい。また、いずれの従来例においても、紐又はゴム紐の太さに応じた抜け止めの対策がなされていない。さらに、１本の紐だけしか通せない。本発明の通し具は、このような従来の構成が有していた問題を解決するものであり、紐通し具により紐やゴム紐等がスカートやパンツ等通される物を疵つけずに、紐、ゴム紐の太さや形状に対応して、紐が抜け落ちることなく確実に通すことができ、さらに、複数の紐やゴム紐を同時に通すことができる紐通し具を提供する。
【課題を解決するための手段】
【０００４】  請求項１に記載の本発明の通し具は、弾性材からなる線材を撚り合せて、複数のループを形成し、複数のループのそれぞれのループ長を、徐々に短くしたものである。【０００５】    請求項２に記載の本発明の紐通し具は、弾性材からなる線材を撚り合せて、複数のループを形成し、複数のループのそれぞれの開口幅を、徐々に狭めたものである。
【発明の効果】
【０００５】  本発明の請求項１に記載の紐通し具は、弾性材を撚り合されて形成される複数のループ長は、先端から他端に向かって徐々に短くなっているため、紐の太さ、形状によって紐が他端に向かうことにより、弾性材が紐により押し広げられ撚り戻されるので、弾性材がもとに戻る撚りの力が働き、紐通しの作業中に通し具から紐が抜け落ちない。また、連続している撚りがあるため、通し紐を締めつけるための強度が大きく生じて、紐の太さ形状によってループ長の異なる位置に紐が保持される。また、紐が通されるときは、紐は常に撚り合された短いループ長へと入って行くため押された状態を作りだすことにより、紐が通し具から抜け出せないという効果がある。すなわち、紐の太さ、形状によってループ長の撚りあわせの異なる位置に紐保持部を有するため、紐が通し具から落ちない効果がある。また従来の紐通し具は、１本の紐を通すことを目的としていたのに対し、本発明は同時に複数の組紐やゴム紐等、異なる材質の紐を通すことができるので作業効率がよい。【０００６】  請求項２記載の紐通し具は、撚りの長さは同じでも開口幅が先端から他端に向かって徐々に狭くなってているため紐の太さ、形状によって紐が他端に向かうことにより、弾性材が紐により押し広げられ撚り戻されるので、紐は常に撚り合された開口幅の狭い方へと入って行くため押された状態を作りだすことにより、作業中紐が通し具から抜け出ないという効果がある。すなわち、紐の太さ、形状によって開口幅の異なる位置に紐保持部を有する。
【図面の簡単な説明】
【０００６】
【図１】本発明の第一の実施例である紐通し具を示す。
【図２】本発明の第二の実施例である紐通し具を示す。
【図３】本発明の第三の実施例である紐通し具を示す。
【図４】本発明の第四の実施例である紐通し具を示す。
【図５】本発明の第五の実施例である紐通し具を示す。
【実施例】
【０００７】  本発明の実施例を図を参照して説明する。
図１は第一の実施例を示し、ステンレス等の弾性材からなる線材２を２つ折りにしてその両端をハンダや溶接３付け、又は、プラスチック等で止め付ける。又は、予め環状の線材２を使用し、先端のループ長Ｌ１から徐々に先端から他端のループ長Ｌ６に向かって徐々にループ長を短く撚り合せて、各ループ長の関係をＬ１＞Ｌ２＞Ｌ３＞Ｌ４＞Ｌ５＞Ｌ６とする。この紐通し具１の紐５の通し方は、もっとも大きいループ長４から紐先端をくぐらせ、通し具に対し直角に紐５を他端に向けて強く引くと紐５の太さ、形状によってループ長の異なった位置で紐５が係止めされる。紐通しが終わり紐５を紐通し具１からはずすときは、紐５を先端に向かって引くことによりはずれる。【０００８】  図２は、第二の実施例を示し、紐通し具１のループ長を略同じくし、Ｌ１≒Ｌ２≒Ｌ３≒Ｌ４≒Ｌ５≒Ｌ６とする。紐通し具の長手方向に直交する方向の開口幅は徐々に先端から他端に向かって狭めてＡ１＞Ａ２＞Ａ３＞Ａ４＞Ａ５＞Ａ６とした紐通し具１を形成する。【０００９】  図３は、第三の実施例を示し、紐通し具１のもっとも大きいループ長４を中心にして、それぞれ左右に向かって徐々にループ長を小さくたＬ６＞Ｌ５＞Ｌ４＞Ｌ３＞Ｌ２＞Ｌ１＜Ｌ２＜Ｌ３＜Ｌ４＜Ｌ５＜Ｌ６とした紐通し具１を形成する。【００１０】  図４は、第四の実施例を示し、もっとも大きいループ長４Ａ，４Ｂを両側にして徐々に中央に向かってループ長を小さくしたＬ１＞Ｌ２＞Ｌ３＞Ｌ４＞Ｌ５＞Ｌ６＜Ｌ５＜Ｌ４＜Ｌ３＜Ｌ２＜Ｌ１とした紐通し具１を形成する。紐通しの作業中次の動作に移るとき、左右同じ形状のため、進行方向の向きに気をつかうことなく作業能率が良い。【００１１】  図５は、第五の実施例を示し、最も大きいループ４Ａ、４Ｂを両側にかつ、中心にループ４Ｃを形成する。両側のループ長から徐々に中央に向かってループ長を小さくし最少のループ長から徐々に中央に向かってループ長を大きくしたＬ１＞Ｌ２＞Ｌ３＞Ｌ４＞Ｌ５＞Ｌ６＜Ｌ５＜Ｌ４＜Ｌ３＜Ｌ２＜Ｌ１＞Ｌ２＞Ｌ３＞Ｌ４＞Ｌ５＞Ｌ６＜Ｌ５＜Ｌ４＜Ｌ３＜Ｌ２＜Ｌ１とした紐通し具１を形成する。この紐通し具１は、同時に複数の組紐５とゴム紐６等異なる材質の紐を通すことができる。本発明の紐通し具１は、ループ長や開口幅が大きい方から小さい方へと紐５が移動して行くため、紐５の太さ、形状によりループ長や開口幅の異なる位置に紐５が保持され、連続した撚りがある為、紐５が通し具１から抜け落ちない効果がある。従来の紐通し具１は、１本の紐５を通すことを目的としていたのにたいし、本発明は同時に複数の組紐５やゴム紐６等異なる材質の紐５を通すことができる。
【符号の説明】
【０００８】１      通し具
２      線材
３      溶接
４      もっとも大きいループ長
５      紐
６      ゴム紐
【図１】
0005305270.tif 000002
【図２】
0005305270.tif 000003
【図３】
0005305270.tif 000004
【図４】
0005305270.tif 000005
【図５】
0005305270.tif 000006